(57)【要約】【課題】ダビング先の記録メディアの残り記録容量に収容可能なタイトル、または既ダビング済みタイトルに関連のあるタイトルを、ＨＤＤ記録装置の録画済タイトル群から自動的に選択し、ダビング対象として提示する録画再生装置及び録画再生方法を提供する。【解決手段】  この発明の実施の形態により実現される録画再生装置は、ダビング先記録メディアの空き容量を取得する空き容量取得手段（１１ａ）、空き容量取得手段より取得する容量に収まるダビング対象タイトルを選択する選択手段（１１ｂ）、空き容量を画面上にタイムバーを生成し、表示させる空き容量タイムバー生成表示手段（１１ｃ）、選択手段により選択されるダビング対象タイトルを空き容量タイムバーと比較させるデータサイズに変換したタイムバーを生成し、表示させるダビング対象タイトルタイムバー生成表示手段（１１ｄ）、を有する。【選択図】  図１
2009158066.tif 000002
【特許請求の範囲】
【請求項１】
ダビング先記録メディアの空き容量を取得する空き容量取得手段と、
前記空き容量取得手段より取得する容量に収まるダビング対象タイトルを選択する選択手段と、
前記空き容量を画面上にタイムバーを生成し、表示させる空き容量タイムバー生成表示手段と、
前記選択手段により選択されるダビング対象タイトルを空き容量タイムバーと比較させるデータサイズに変換したタイムバーを生成し、表示させるダビング対象タイトルタイムバー生成表示手段と、
を有することを特徴とする録画再生装置。
【請求項２】
前記ダビング対象タイトルタイムバー生成表示手段は、前記選択手段により選択されるダビング対象タイトルタイムバーの始点を前記空き容量タイムバー表示のタイムバー始点に一致させて表示させることを特徴とする請求項１に記載の録画再生装置。
【請求項３】
前記ダビング対象タイトルタイムバー生成表示手段は、前記ダビング対象タイトルから選択されたタイトルのタイムバー表示を前記空き容量タイムバー表示上の始点に一致させて重畳させ、さらにその終点を新たな始点として移動させ、残りの各ダビング対象タイトルを表示されることを特徴とする請求項２に記載の録画再生装置。
【請求項４】
前記ダビング対象タイトルタイムバー生成表示手段および空き容量タイムバー生成表示手段は前記ダビング対象タイトルタイムバー表示が画面に収まらない場合、前記空き容量タイムバー表示上に重畳させた終点を基準にして始点方向に移動し、そこを新たな始点として残りの各ダビング対象タイトルが表示されることを特徴とする請求項３に記載の録画再生装置。
【請求項５】
ダビング対象のタイトルを指定する指定手段と、
ダビング先記録メディアの空き容量を取得し、前記指定手段により指定されたタイトルがダビング可能か否かチェックする空き容量取得手段と、
前記指定手段により指定されたタイトルに関連のあるタイトルを検索し、前記空き容量取得手段より取得する容量に収まるダビング対象タイトルのサイズに対応したタイムバーを生成し、画面上に表示する表示手段と、
前記空き容量を示すタイムバーを生成し、画面上に表示させる空き容量タイムバー生成表示手段と、
前記表示手段により表示されたタイトルが選択された際に、選択されたタイトルのサイズに対応したタイムバーを、前記空き容量タイムバー生成手段により生成された空き容量タイムバーと直接比較可能にサイズに変換したタイムバーを生成し、表示させるダビング対象タイトルタイムバー生成表示手段と、
を有することを特徴とする録画再生装置。
【請求項６】
前記ダビング対象タイトルタイムバー生成表示手段は、前記選択手段により選択されるダビング対象タイトルタイムバーの始点を前記空き容量タイムバー表示のタイムバー始点に一致させて表示させることを特徴とする請求項５に記載の録画再生装置。
【請求項７】
前記ダビング対象タイトルタイムバー生成表示手段は、前記ダビング対象タイトルから選択されたタイトルのタイムバー表示を前記空き容量タイムバー表示上の始点に一致させて重畳させ、さらにその終点を新たな始点として移動され、残りの各ダビング対象タイトルを表示されることを特徴とする請求項６に記載の録画再生装置。
【請求項８】
前記ダビング対象タイトルタイムバー生成表示手段および空き容量タイムバー生成表示手段は前記ダビング対象タイトルタイムバー表示が画面に収まらない場合、前記空き容量タイムバー表示上に重畳させた終点を基準にして始点方向に移動し、そこを新たな始点として残りの各ダビング対象タイトルが表示されることを特徴とする請求項７に記載の録画再生装置。
【請求項９】
ダビング先記録メディアの空き容量を取得する空き容量取得手段と、
ダビング先記録メディアに既に記録されているタイトルのサイズ及びタイトルに固有の情報を取得する取得手段と、
前記空き容量を示すタイムバーを生成し、画面上に表示させる空き容量タイムバー生成表示手段と、
前記取得手段により取得したタイトルに関連のあるタイトルを検索し、前記空き容量取得手段より取得された空き容量に収まるダビング対象タイトルのサイズに対応したタイムバーを生成し、画面上に表示する表示手段と、
前記表示手段により表示されたタイトルが選択された際に、選択されたタイトルのサイズに対応したタイムバーを、前記空き容量タイムバー生成手段により生成された空き容量タイムバーと直接比較可能にサイズに変換したタイムバーを生成し、表示させるダビング対象タイトルタイムバー生成表示手段と、
を有することを特徴とする録画再生装置。
【請求項１０】
前記ダビング対象タイトルタイムバー生成表示手段は、前記選択手段により選択されるダビング対象タイトルタイムバーの始点を前記空き容量タイムバー表示のタイムバー始点に一致させて表示させることを特徴とする請求項９に記載の録画再生装置。
【請求項１１】
前記ダビング対象タイトルタイムバー生成表示手段は、前記ダビング対象タイトルから選択されたタイトルのタイムバー表示を前記空き容量タイムバー表示上の始点に一致させて重畳させ、さらにその終点を新たな始点として移動させ、残りの各ダビング対象タイトルを表示されることを特徴とする請求項１０に記載の録画再生装置。
【請求項１２】
前記ダビング対象タイトルタイムバー生成表示手段および空き容量タイムバー生成表示手段は前記ダビング対象タイトルタイムバー表示が画面に収まらない場合、前記空き容量タイムバー表示上に重畳させた終点を基準にして始点方向に移動され、そこを新たな始点として残りの各ダビング対象タイトルが表示されることを特徴とする請求項１１に記載の録画再生装置。
【請求項１３】
ダビング先記録メディアの空き容量を取得し、
取得した空き容量及び任意数のダビング対象タイトルのサイズを空き容量の表示と同じ時間条件またはサイズ条件によりタイムバー表示し、
任意のダビング対象タイトルが選択された際に、選択されたタイトルのタイムバー表示を、空き容量タイムバーの表示に重ねて表示する
ことを特徴とする録画再生方法。
【請求項１４】
選択された任意のダビング対象タイトルのタイムバー表示が空き容量タイムバーの表示に重ねて表示された後、選択されたタイトルのタイムバー表示と空き容量タイムバーの表示の重なり部分を除いた残り空き容量タイムバーが生成され、未選択のダビング対象タイトルのタイムバー表示の始点が、残り空き容量タイムバー始点にシフトされることを特徴とする請求項１３記載の録画再生方法。
【請求項１５】
選択されたタイトルのタイムバー表示と空き容量タイムバーの表示の重なり部分を除いた残り空き容量タイムバーが生成され、未選択のダビング対象タイトルのタイムバー表示の始点が、空き容量タイムバー表示上の始点に一致させて重畳され、その終点を新たな始点として移動し、残りの各ダビング対象タイトルを表示されることを特徴とする請求項１４に記載の録画再生装置。
【請求項１６】
選択されたタイトルのタイムバー表示と空き容量タイムバーの表示の重なり部分を除いた残り空き容量タイムバーが生成され、未選択のダビング対象タイトルのタイムバー表示の始点が、空き容量タイムバー表示上の始点に一致させて重畳され、ダビング対象タイトルタイムバー表示が画面に収まらない場合、空き容量タイムバー表示上に重畳させた終点を基準にして始点方向に移動し、そこを新たな始点として残りの各ダビング対象タイトルが表示されることを特徴とする請求項１５に記載の録画再生装置。
【請求項１７】
ダビング先記録メディアの空き容量を取得し、
取得した空き容量及び任意数のダビング対象タイトルのサイズを空き容量の表示と同じ時間条件またはサイズ条件によりタイムバー表示し、
任意のダビング対象タイトルが選択された際に、選択されたタイトルのタイムバー表示を、空き容量タイムバーの表示に重ねて表示し、
選択されたタイトルに関連のあるタイトルを検索し、空き容量タイムバーの残り空き容量に収まるサイズのダビング対象タイトルを抽出して、表示する
ことを特徴とする録画再生方法。
【請求項１８】
選択されたダビング対象タイトルのタイムバー表示が空き容量タイムバーの表示に重ねて表示された後、選択されたタイトルのタイムバー表示と空き容量タイムバーの表示の重なり部分を除いた残り空き容量タイムバーが生成され、未選択のダビング対象タイトルのタイムバー表示の始点が、残り空き容量タイムバー始点にシフトされることを特徴とする請求項１７記載の録画再生方法。
【請求項１９】
選択されたタイトルのタイムバー表示と空き容量タイムバーの表示の重なり部分を除いた残り空き容量タイムバーが生成され、未選択のダビング対象タイトルのタイムバー表示の始点が、空き容量タイムバー表示上の始点に一致させて重畳され、その終点を新たな始点として移動し、残りの各ダビング対象タイトルを表示されることを特徴とする請求項１８に記載の録画再生装置。
【請求項２０】
選択されたタイトルのタイムバー表示と空き容量タイムバーの表示の重なり部分を除いた残り空き容量タイムバーが生成され、未選択のダビング対象タイトルのタイムバー表示の始点が、空き容量タイムバー表示上の始点に一致させて重畳され、ダビング対象タイトルタイムバー表示が画面に収まらない場合、空き容量タイムバー表示上に重畳させた終点を基準にして始点方向に移動し、そこを新たな始点として残りの各ダビング対象タイトルが表示されることを特徴とする請求項１９に記載の録画再生装置。
【請求項２１】
ダビング先記録メディアに既に記録されているタイトルのサイズ及びタイトルに固有の情報を取得し、
ダビング先記録メディアの空き容量を取得し、
既に記録されているタイトルに関連のあるタイトルを検索し、空き容量タイムバーの残り空き容量に収まるサイズのダビング対象タイトルを抽出して、表示する
ことを特徴とする録画再生方法。
【請求項２２】
選択されたダビング対象タイトルのタイムバー表示が空き容量タイムバーの表示に重ねて表示された後、選択されたタイトルのタイムバー表示と空き容量タイムバーの表示の重なり部分を除いた残り空き容量タイムバーが生成され、未選択のダビング対象タイトルのタイムバー表示の始点が、残り空き容量タイムバー始点にシフトされることを特徴とする請求項２１記載の録画再生方法。
【請求項２３】
選択されたタイトルのタイムバー表示と空き容量タイムバーの表示の重なり部分を除いた残り空き容量タイムバーが生成され、未選択のダビング対象タイトルのタイムバー表示の始点が、空き容量タイムバー表示上の始点に一致させて重畳され、その終点を新たな始点として移動し、残りの各ダビング対象タイトルを表示されることを特徴とする請求項２２に記載の録画再生装置。
【請求項２４】
選択されたタイトルのタイムバー表示と空き容量タイムバーの表示の重なり部分を除いた残り空き容量タイムバーが生成され、未選択のダビング対象タイトルのタイムバー表示の始点が、空き容量タイムバー表示上の始点に一致させて重畳され、ダビング対象タイトルタイムバー表示が画面に収まらない場合、空き容量タイムバー表示上に重畳させた終点を基準にして始点方向に移動し、そこを新たな始点として残りの各ダビング対象タイトルが表示されることを特徴とする請求項２３に記載の録画再生装置。
【発明の詳細な説明】
【技術分野】
【０００１】
この発明は、ダビング先の記録メディアの残り記録容量に収容可能なタイトル、または既ダビング済みタイトルに関連のあるタイトルを、ＨＤＤの録画済タイトル群から自動的に選択し、ダビング対象として提示する録画再生装置及び録画再生方法に関する。
【背景技術】
【０００２】
動画情報（映像信号）やオーディオ信号（音声信号）を受信して再生するテレビ受信器や受信した動画およびオーディオを記録して保存できる録画再生装置（ビデオレコーダ）や動画撮像装置（ビデオカメラ）等の普及と発展は、めざましい。また、既にパーソナルコンピュータにおいても、テレビ放送を受信して映像や音声を再生できる機能が標準仕様として用意されている場合も少なくない。
【０００３】
このような、さまざまなコンテンツを容易に取得可能な環境において、ＨＤＤ（ハードディスクドライブ）に代表される記録容量の大きな記憶装置に録画した動画情報やオーディオ信号を、例えば光ディスク等に複製（ダビングまたはムーブ（移動））して保管することは、多くのユーザが実行している。
【０００４】
なお、記録媒体として広く利用される光ディスクとしては、ＤＶＤ規格やＤＶＤ規格を発展させ、ＤＶＤ規格に比較してさらに５倍程度の記録容量が与えられたＨＤ（High-Definition）  ＤＶＤ規格の光ディスクが広く利用されているが、ＨＤＤからＤＶＤ／ＨＤ  ＤＶＤディスクにダビングまたはムーブする際に、ＤＶＤ／ＨＤ  ＤＶＤディスクの記録容量に一致するか、最も残り記録容量が少なくなるように、ダビングまたはムーブできることが望まれている。
【０００５】
特許文献１には、記録媒体から脱着式記録媒体への番組コンテンツデータのダビングにおいて、脱着式記録媒体に記録されているコンテンツデータに関連する番組コンテンツデータを記録媒体から抽出することで、脱着式記録媒体に記録すべき番組コンテンツデータを容易に選択できる録画装置が開示されている。
【特許文献１】特開２００６−２６２０１３
【発明の開示】
【発明が解決しようとする課題】
【０００６】
しかしながら、特許文献１には、脱着式記録媒体へのダビングまたはムーブに際して、脱着式記録媒体の記録容量に一致するか、最も残り記録容量が少なくなるよう、ダビングまたはムーブすべきコンテンツのサイズと脱着式記録媒体の残り記録容量を比較することは示されていない。
【０００７】
この発明の目的は、ダビング先の記録メディアの残り記録容量に収容可能なタイトル、または既ダビング済みタイトルに関連のあるタイトルを、ＨＤＤの録画済タイトル群から自動的に選択し、ダビング対象として提示する録画再生装置及び録画再生方法を提供することである。
【課題を解決するための手段】
【０００８】
この発明は、上記問題点に基づきなされたもので、ダビング先記録メディアの空き容量を取得する空き容量取得手段と、前記空き容量取得手段より取得する容量に収まるダビング対象タイトルを選択する選択手段と、前記空き容量を画面上にタイムバーを生成し、表示させる空き容量タイムバー生成表示手段と、前記選択手段により選択されるダビング対象タイトルを空き容量タイムバーと比較させるデータサイズに変換したタイムバーを生成し、表示させるダビング対象タイトルタイムバー生成表示手段と、を有することを特徴とする録画再生装置を提供するものである。
【発明の効果】
【０００９】
この発明の実施の形態によれば、タイトル（番組）のダビングまたはムーブが要求された場合に、ダビングまたはムーブ対象のタイトルが記録メディア（光ディスク）の残り記録可能容量に対して収容（記録）可能か否か、あるいはいくつのタイトルが入れられるか、もしくはレート変換またはトランスコードにより収録可能となるか、が容易に識別できる。
【００１０】
また、１つのタイトルを選択することで、関連のある特定のタイトルを優先して（単一の光ディスクに）ダビングまたはムーブできる。
【００１１】
さらに、既に光ディスクに収録（記録）されているタイトルと関連のある特定のタイトルを優先して（単一の光ディスクに）ダビングまたはムーブできる。
【００１２】
従って、大容量記録装置に記録されているタイトルが、ダビング先の光ディスクの残量内で収録（記録）できるか否か、を容易に確認することが可能となり、光ディスクの残り記録容量に対して収録可能なタイトルの組み合わせのために、煩雑な時間計算や、レート変換後のタイトルのサイズを予想することなく、簡単に、光ディスクの残り記録容量に合わせたダビングまたはムーブが可能となる。
【発明を実施するための最良の形態】
【００１３】
以下、図面を参照して、本発明の実施の形態の一例について説明する。
【００１４】
図１は、この発明の実施の形態が適用可能な録画再生装置（レコーダー装置）の一例を示す。
【００１５】
図１に示す録画再生装置（動画像（映像信号）／オーディオ信号（音声信号）記録再生装置）１は、例えばチューナー部３もしくは外部入力部５から入力された動画像（映像信号）／オーディオ信号（音声信号）を、ＨＤＤ（ハードディスクドライブ）に代表される大容量記録装置７において記録可能に、あるいは大容量記録装置７に保持されている映像信号及び音声信号を、外部に接続されるモニタ装置１１１及びスピーカー１１３あるいはテレビ受信機１１５等に出力する録画再生信号処理部（Digital Signal processor，ＤＳＰ）９を有する。なお、録画再生信号処理部９は、詳述しないが、ビデオエンコーダー部、ビデオデコーダー部、オーディオエンコーダー部、オーディオデコーダー部、及び以下に説明するＴＳ形式のディジタル放送波について、より圧縮度の高い圧縮方式である「ＴＳＥ」形式に変換するトランスコーダー部等を含む。
【００１６】
録画再生信号処理部９には、主制御ユニット１１及び主制御ユニット１１に接続されたメモリユニット（ＲＡＭ）１３、ユーザによる操作により生成される制御信号の入力に利用されるユーザ操作入力部１５、及びユーザ操作入力／ＧＵＩ表示部１７等が接続されている。
【００１７】
また、録画再生信号処理部９には、例えばＨＤ（High Definition）規格のＤＶＤディスク（以下、ＨＤ  ＤＶＤと略称する）やＤＶＤ規格の光ディスクＤがセットされることで、光ディスクＤに収容されている情報を再生し、あるいはＨＤＤ７やチューナー部５から供給される映像信号及び音声信号が記録可能なディスクドライブユニット１９、及び外部に接続されるモニタ装置１１１及びスピーカー１１３あるいはテレビ受信機１１５等に出力するための出力部２１が接続されている。
【００１８】
チューナー部３は、地上アナログ／地上ディジタル等に代表される任意形式の公衆向け放送や、放送衛星や通信衛星を介して供給される公衆向け衛星放送波を受信可能で、例えばＴＳ（Transport stream，以降“ＴＳ”と称する）形式であるディジタル放送波の映像信号および音声信号も受信できる。なお、チューナー部３は、例えば光ケーブル等を介して、プロバイダあるいは配信局（地域ネットワーク基地局）等から供給される限定的なコンテンツも受信可能である。
【００１９】
ＨＤＤ（ハードディスクドライブ）７は、例えば２５０〜１０００Ｇバイトの記録容量が与えられた書き換え可能な大容量記録装置であって、記録レートを変えることにより、最大で１０００時間程度の映像信号および音声信号が記録可能である。
【００２０】
主制御ユニット１１は、詳述しないが、ＣＰＵ（Central processing unit）またはＭＰＵ（Main processing unit）と、ダビング先メディア空き容量取得部１１ａ、ダビング先タイトル選択部１１ｂ、空き容量タイムバー生成表示部１１ｃ、ダビング対象タイトルタイムバー生成表示部１１ｄを含み、ディスクドライブユニット１９にセットされた光ディスクに既に記録されているコンテンツ（タイトル）があるか否か、並びに光ディスクの残り記録容量を取得する。また、主制御ユニット１１は、ダビング対象タイトルや、取得した残り（空き）記録容量に基づいて、空き（残り記録）容量タイムバーやタイトルタイムバーを表示させる。さらに、主制御ユニット１１は、レート変換あるいはトランスコードにより、任意のタイトルが（光ディスクの）残り（空き）記憶容量に収まるか否かを算出するサイズ／レート比較部１１ｅを、含む。
【００２１】
メモリユニット１３は、ワークメモリとして機能するメインメモリ（ＳＤＲＡＭ）と、図示しないが、主制御ユニット１１及び録画再生装置１を動作させるためのプログラムを保持したＲＯＭを含む。
【００２２】
ユーザ操作入力部１５は、例えば無線式や赤外線式のリモート端末（リモコン、図２参照）を介してユーザから指示される制御情報、例えばチューナー部３を経由して取得（受信）すべき放送波の選択や、録画再生信号処理部９による録画処理すなわち光ディスクへのダビングまたはムーブのためのコンテンツを決定するユーザ操作を受け付ける。
【００２３】
ＧＵＩ表示部１７は、ユーザ操作入力部１５から入力される録画条件を保持し、録画再生信号処理部９によるダビングまたはムーブ条件を出力するとともに、入力された情報やその結果として選択された条件を、外部に接続されるモニタ装置１１１やＴＶ受信機１１５における表示部に表示する。なお、ＧＵＩ表示部１７は、ユーザ操作入力部１５から入力されたダビングまたはムーブ条件のうちの少なくとも対象のコンテンツのサイズとディスクドライブユニット１９にセットされている光ディスクの残り記憶容量とを比較した結果、ダビングまたはムーブ対象のコンテンツ（タイトル）が、ユーザ操作入力部１５により受け付けたダビング（ムーブ）条件では光ディスクの残り容量に収まらないことをＧＵＩ（Graphical User Interface）表示するためのＯＳＤ（On Screen Display）ユニットを含む。
【００２４】
次に、図１に示した録画再生装置（記録再生装置）を用いて、録画済のタイトル（番組またはコンテンツ）を、ダビング（複製）あるいはムーブ（移動）する例を説明する。
【００２５】
図２に示すリモートコントロール端末ＲＭの『設定』ボタン２０１により、ユーザから、「見るナビ」が選択されることで、図３に示すような「見るナビ（機能一覧）」画面３０１が表示される。
【００２６】
なお、以下に説明するさまざまな表示（画面）においては、リモコン端末ＲＭの詳述しない上下左右方向の４つの矢印キーにより現在選択中の表示が反転表示もしくはグレーダウン（表示色がグレーに変更される）表示され、例えば『決定』キー２１１により確定されることで、次の画面（または表示）が表示され、もしくは入力されたコマンドに対応する処理が実行されるものとする。
【００２７】
また、以下に説明する個々の『表示（画面）』は、録画再生装置１において、出力端２１に接続されたテレビ受像機（モニタ装置）Ｍの画面に表示される表示例であり、その『表示（画面）』となる表示パターン、例えば図３により以下に説明する「見るナビ（機能一覧）」画面（表示）や図４に示す「編集ナビ（ダビング）」画面（表示）は、主制御ブロック１１に接続されたＧＵＩ表示部１７により生成され、録画再生信号処理部９から出力端２１に出力される映像及び音声出力に重ね合わせられることはいうまでもない。
【００２８】
図３に示す「見るナビ（機能一覧）」画面（表示）３０１において、『ダビング』表示３１１が選択されると、図４に示すように、「編集ナビ（ダビング）」画面（表示）４０１が表示される。
【００２９】
図４に示す「編集ナビ（ダビング）」画面（表示）４０１には、現在、ディスクドライブユニット１９にセットされている記録メディアすなわち光ディスクＤの残り記録可能容量を示すタイムバー４１１と、現在指定されているレートを示すレート表示領域４１３と、ＨＤＤ７に保持されている総てのタイトルのサイズを示すダビング対象タイトルタイムバー４２１，４２３，４２５，４２７，４２９及び４３１が表示される。
【００３０】
なお、リモコン端末ＲＭの詳述しない上下左右方向の４つの矢印キー２１１Ｕ（上），２１１Ｒ（右），２１１Ｄ（下）及び２１１Ｌ（左）のうちの２１１Ｕ（上）及び２１１Ｄ（下）の操作により、ダビング対象タイトルタイムバー４２１，４２３，４２５，４２７，４２９及び４３１が、順次、反転色表示もしくはグレーダウン表示に変更され、現在、フォーカス（カーソル）が当てられていることが、表示される。また、例えば２１１Ｄ（下）が引き続き操作されることで、例えば一番上に表示されているタイトルタイムバー４２１が画面（表示）４０１の範囲外となり、タイムバー４１１の上に、新たなタイトル（図示しないが「タイトルＧ」）に対応するタイトルタイムバーが表示される。
【００３１】
なお、光ディスクＤに、何もタイトルが記録されていない場合には、タイムバー４１１は、空き状態（例えば、記録されている記録容量が任意の色で表示される場合、総ての記録領域に記録が可能であることを示す残り容量の色の表示）が表示される。
【００３２】
ユーザによるリモコンＲＭの操作より、例えばタイトルＢが選択されると、図５に示すように、画面（表示）５０１のタイトルＢを表示しているタイトルタイムバー４２３が反転表示またはグレーダウン表示され、同時にタイムバー４１１のタイトルＢのサイズに相当する部分の色が、記録済であることを示す所定の色に変更される。
【００３３】
次に、図６に、画面（表示）６０１として示す通り、残りの各タイトル（Ａ，Ｃ〜Ｆ）に対応するタイトルタイムバー４２１，４２５，４２７，４２９及び４３１が（画面（表示）中では右側に移動されて）、残り記録可能容量を示すタイムバー４１１内の既に選択されたタイトルＢの表示の終点に、各タイトル（Ａ，Ｃ〜Ｆ）に対応するタイトルタイムバー４２１，４２５，４２７，４２９及び４３１の始点が一致された状態が表示される。なお、図６では、タイトルＤに対応するタイトルタイムバー４２７は、画面（表示）６０１からはみ出しているが、図６は、その概念を示すもので、実際の表示とは異なる。
【００３４】
図６に示した画面（表示）６０１において、タイトルＤに対応するタイトルタイムバー４２７のように、画面（表示）６０１から飛び出すサイズのタイトルが存在しない場合、表示（画面）は、図６の状態で維持される。
【００３５】
図７は、図６に示した画面（表示）６０１において、タイトルＤに対応するタイトルタイムバー４２７のように、画面（表示）６０１から飛び出すサイズのタイトルが含まれる場合に、図６の画面（表示）６０１に引き続いて、図６の画面（表示）６０１を表示した状態が所定時間維持された後、所定のタイミングで新たに表示される画面（表示）の一例を示す。
【００３６】
図７に示す画面（表示）７０１では、図６に示した画面（表示）６０１において、仮想的に飛び出していたタイトルＤに対応するタイトルタイムバー４２７が、画面（表示）７０１内に収まるように、タイムバー（残り記録可能容量）４１１を含む、タイトルタイムバー４２１，４２５，４２７，４２９及び４３１が、左側に移動される。
【００３７】
これにより、実際の画面（表示）として、ユーザが、タイトルＤすなわちタイトルＤに対応するタイトルタイムバー４２７が、タイムバー（残り記録可能容量）４１１よりも長い（残り記録可能容量よりもタイトルＤのサイズが大きい）ことを、容易に認識可能となる。
【００３８】
以下、図７の画面（表示）７０１に引き続いて、図７の画面（表示）７０１を表示した状態が所定時間維持された後、所定のタイミングで新たに、図８に示す画面（表示）８０１が表示される。
【００３９】
すなわち、図４において、タイトルＢ（タイトルタイムバー（容量バー）４２３）を選択した場合、図５に、画面（表示）５０１として示したように、その容量に対してのＤＶＤの容量消費の最終端（図４の残り記録可能容量表示（タイムバー）４１１上のタイトルＢに相当するサイズの右端）から、次にＨＤＤ７から選択できる各タイトルの容量表示が開始される。
【００４０】
このとき、容量の多いタイトルＤ（タイトルタイムバー（容量バー）４２７）は、図６の画面（表示）６０１に示すように、表示（画面）から少しはみ出す（実際、そこまでは画面上では見ることはできない）ので、その後、図７に、画面（表示）７０１として示すように、所定時間経過後、自動的に、ＨＤＤ７から選択可能なタイトル（複数）に対応するタイトルタイムバー（容量バー）４２５，４２７，４２９及び４３１とＤＶＤの残り記録可能容量を示すタイムバー４１１が左にずれ、タイトルＤのタイトルタイムバー（容量バー）が、画面（表示）７０１内に収まる表示が、表示される。
【００４１】
なお、ＨＤＤ７内に記録されているタイトルのうち、画面（表示）からはみ出すダビング対象のタイトルが表示される（ダビングの結果として以降に表示されるタイトルタイムバー（タイトル）が変化する）毎に、必要に応じて上述した図４〜図７が、繰り返される（表示が切り換えられる）ことはいうまでもない。
【００４２】
図８に示す画面（表示）８０１は、上述した表示の切り換えの結果、光ディスクＤの記録残りのみを表示するタイムバー４１１、ダビングまたはムーブの候補のタイトルＡ、タイトルＣ〜タイトルＦのサイズを示すタイトルタイムバー４２１，４２５，４２７，４２９及び４３１を示した表示例であり、各容量（タイムバーとタイトルタイムバー）が最も左側にシフトされた例を表示している。
【００４３】
次に、ユーザによるリモコンＲＭの操作により、残り記録容量を表示したタイムバー４１１に収まるサイズのタイトルＣが選択されると、図９に示すように、画面９０１のタイトルＣを表示しているタイトルタイムバー４２５が反転表示またはグレーダウン表示され、同時にタイムバー４１１のタイトルＣのサイズに相当する部分の色が、記録済であることを示す所定の色に変更される。
【００４４】
このように、光ディスクへのタイトル（コンテンツ）のダビングまたはムーブに際し、光ディスクの残り記録可能容量内に収容可能な任意数のタイトルのサイズが、目視による簡単な確認で把握でき、ダビングまたはムーブしたいタイトル（コンテンツ）をダビングまたはムーズする際の効率が向上される。
【００４５】
なお、任意のタイトルのダビングまたはムーブに際し、図１０または図１１に示すように、レート変換もしくはトランスコード（トランスコードできないデータ形式もある）を併用するか否かをユーザに選択させてから、ダビングまたはムーブを開始することも可能である。
【００４６】
例えば、図１０に示す画面（表示）１００１において、レート変換を促す表示１０１１が表示され、例えばレートを１／２に変更するレート変換が選択された場合、図８と同等の残り記録容量に対する各タイトルのタイトルタイムバーの表示は、図１２に示す通り、総て１／２のサイズで表示される（タイムバー４１１の表示は、図４（図８）と同じ）。この場合、画面（表示）１２０１におけるレート表示領域４１３には、（図４の例に比較して１／２のレートである「２．３Ｍ（Ｍは、Ｍｂｐｓの略）」が表示される。なお、図１０に示した選択画面による機能に換えて、例えばリモコンＲＭにより、レート表示領域４１３にフォーカスを当てる（カーソルを位置させる）ことで、図１０に示した選択画面が表示されるよう、制御することも可能である。また、その場合、例えばレート表示領域４１３の表示をリモコンＲＭにより反転表示またはグレーダウン表示させた後、２１１Ｕ（上）および２１１Ｄ（下）キーが操作される毎に、レートが変化されるよう、制御することも可能である。
【００４７】
一方、図１１に示す画面（表示）１１０１において、トランスコードを促す表示１１１１が表示され、トランスコードの併用が選択された場合、トランスコードが可能なタイトルについては、図１３に示すように、トランスコードが可能なタイトルのサイズを示すタイトルタイムバー４５１（タイトルＡ（ＴＳ））に隣接して、トランスコード後のサイズを示すタイトルタイムバー４６１（タイトルＡ（トランスコード））が表示される。なお、トランスコードは、ＴＳ形式のデータの圧縮率をより高めたもので、ＴＳＥと称されることもある。
【００４８】
なお、図４〜図９を用いて説明した一連の動作は、主制御ブロック１１のダビング先メディア空き容量取得部１１ａ、ダビング先タイトル選択部１１ｂ、空き容量タイムバー生成表示部１１ｃ、ダビング対象タイトルタイムバー生成表示部１１ｄ及びサイズ／レート比較部１１ｅ、並びに詳述しないＣＰＵ／ＭＰＵ（今日、主制御ブロックとして一体化されていることが多い）により実現されることはいうまでもない。
【００４９】
また、図４ないし図９に示したタイムバーの表示方法は、図１４に示すように、光ディスクの残り記録可能容量を取得（ＳＴ１）、選択されたタイトルのサイズとレートから光ディスクの容量占有量を演算（ＳＴ２）、画面のタイムバーの表示を、光ディスクの容量占有量を引き算した残り記録可能容量に変更（ＳＴ３）、残りのタイトルのサイズを表示するタイトルタイムバーを、光ディスクの容量占有量を引き算した残り記録可能容量を「０」とした位置に変更（ＳＴ４）、光ディスクの残り記録可能容量に収容可能なタイトルがなくなるまで、ＳＴ２〜ＳＴ４の繰り返し（ＳＴ５）、により実現される。
【００５０】
図１５〜図２０は、ユーザにより特定された任意のタイトル（コンテンツ）と関連のある特定のコンテンツ（タイトル）をＨＤＤからダビングまたはムーブする例を示す。
【００５１】
始めに、図３により既に説明した「見るナビ（機能一覧）」画面（表示）３０１が選択され、同画面（表示）３０１において、『ダビング』表示３１１が選択されると、図４に示したと同様に、「編集ナビ（ダビング）」画面（表示）１５０１が表示される（実質的に、図４と同様）。なお、「編集ナビ（ダビング）」画面（表示）１５０１においては、例えば、週一回放送されるシリーズ番組１〜１０（シリーズ番組Ｉ）のうちの日付の古い順のタイトル１〜３（タイトルタイムバー１５２１，１５２５，１５２９）と、同様に週一回放送されるシリーズ番組Ａ〜Ｊ（シリーズ番組ＩＩ）のうちの日付の古い順のタイトルＡ〜Ｃ（タイトルタイムバー１５２３，１５２７，１５３１）が、順にリストされているとする。
【００５２】
図１５において、ユーザにより任意のタイトル、ここでは、タイトルＡが選択されると、図１６に示すように（図７により既に説明したと同様に）、タイトルＡにより光ディスクの残り記録可能領域が占有されるサイズに相当する部分のタイムバー４１１が、反転表示またはグレーダウン表示により、表示される。
【００５３】
続いて、画面１５０１（図１５）内で表示されている残りのタイトルタイムバーが、タイトルＢ〜Ｇに整理され、且つ光ディスクＤの記録残り容量を基準（スタート位置）として、図１７に示すように、タイムバー４１１及びダビングまたはムーブの対象となるタイトルとして、タイトルＢ〜Ｇが所定方向（図１７では上方向）にシフトされ、それぞれに対応するタイトルタイムバー１５２７（タイトルＢ），１５３１（タイトルＣ），１５３５（タイトルＤ），１５３９（タイトルＥ），１５４３（タイトルＦ）及び１５４７（タイトルＧ）が、表示される。
【００５４】
なお、タイトル１〜１０（シリーズ番組Ｉ）とタイトルＡ〜Ｊ（シリーズ番組ＩＩ）の識別は、例えば図１９により以下に説明するが、ＨＤＤ７へのタイトル（コンテンツ）の録画に際して取得した、既に広く利用されているＥＰＧ（電子番組ガイド、Ｄ（ダイナミック）ＥＰＧと称されることもある）から取得されるデータを用いることで、容易に実現できる。
【００５５】
例えば、ＥＰＧとして供給されるデータの項目としては、図１９に一例を示すが、「ｃｈ（チャンネル）」，「番組開始日時」，「番組終了日時」，「番組タイトル」，「番組サブタイトル（話数／回数）」，「出演者」，「ジャンル」あるいは「番組説明」等がある。
【００５６】
また、それぞれの項目の内容としては、    
「ｃｈ」として            ［チャンネルを特定するＩＤ］，    
「番組開始日時」として    ［年／月／日／時／分］，    
「番組終了日時」として    ［年／月／日／時／分］，    
「番組タイトル」として    ［文字列］，    
「番組サブタイトル」として［文字列］，    
「出演者」として          ［文字列］，    
「ジャンル」として        ［ジャンルコード（ＥＰＧにより規定される）］，    
「番組説明」として        ［文字列］    
等が用いられる。
【００５７】
すなわち、図１５に示したタイトル１〜１０とタイトルＡ〜Ｊは、それぞれ、曜日すなわち「番組開始日時」と「番組終了日時」並びに「ｃｈ」に基づいて、容易に識別可能であり、併せて「番組タイトル」や「ジャンル」を参照することで、高い精度で、グループ分けできる。
【００５８】
次に、残り記録容量を表示したタイムバー４１１に収まるサイズのタイトルＢが選択され、図１８に示すように、画面１８０１のタイトルＢを表示しているタイトルタイムバー１５２７が反転表示またはグレーダウン表示され、同時にタイムバー４１１のタイトルＢのサイズに相当する部分の色が、記録済であることを示す所定の色に変更される。
【００５９】
なお、図１５〜図１８を用いて説明した一連の動作は、主制御ブロック１１のダビング先メディア空き容量取得部１１ａ、ダビング先タイトル選択部１１ｂ、空き容量タイムバー生成表示部１１ｃ及びダビング対象タイトルタイムバー生成表示部１１ｄ、並びに詳述しないＣＰＵ／ＭＰＵ（今日では主制御ブロックとして一体化されている場合が多い）により実現されることはいうまでもない。
【００６０】
このように、光ディスクへのタイトル（コンテンツ）のダビングまたはムーブに際し、光ディスクの残り記録可能容量内に収容可能な任意数のタイトルのサイズが、目視による簡単な確認で把握でき、ダビングまたはムーブしたいタイトル（コンテンツ）をダビングまたはムーズする際の効率が向上される。
【００６１】
なお、図１５ないし図１８に示したタイムバーの表示方法は、図２０に示すように、１つのタイトルを選択（ＳＴ１１）、光ディスクの残り記録可能容量を取得（ＳＴ１２）、選択されたタイトルの内容（シリーズもの、ジャンル等）に区別があるかを確認（ＳＴ１３）、画面のタイムバーの表示を、光ディスクの容量占有量を引き算した残り記録可能容量に変更（ＳＴ１４）、残りのタイトルのサイズを表示するタイトルタイムバーを、光ディスクの容量占有量を引き算した残り記録可能容量を「０」とした位置に変更（ＳＴ１５）、光ディスクの残り記録可能容量に収容可能なタイトルがなくなるまで、ＳＴ１４〜ＳＴ１５の繰り返し（ＳＴ１６）、により実現される。
【００６２】
図２１〜図２５は、少なくとも１つのタイトル（コンテンツ）が既に記録されている光ディスクがディスクドライブユニットにセットされた状態で、既に光ディスクに記録されているタイトル（コンテンツ）と関連のある特定のコンテンツ（タイトル）をＨＤＤからダビングまたはムーブする例を示す。
【００６３】
図２１から明らかなように、画面（表示）２１０１においては、タイムバー４１１は、既に光ディスクＤに記憶されているタイトル１（シリーズ番組Ｉ）により占有されている記録領域が存在することを、反転表示またはグレーダウン表示により、表示する。また、図２２に示すように、画面（表示）２２０１においては、タイムバー４１１の残り記録可能領域をスタート位置として、ダビングまたはムーブ対象であるＨＤＤ７内の個々のタイトルのサイズが、タイムバー１５２５（タイトル２），タイムバー１５２９（タイトル３），タイムバー１５３３（タイトル４），タイムバー１５３７（タイトル４），タイムバー１５４３（タイトル５），タイムバー１５４７（タイトル６）により、それぞれ表示される。
【００６４】
以下、画面（表示）２１０１（図２１）内で表示されている残りのタイトルのサイズを示すタイトルタイムバーが、図１９により説明したと同様に、ＨＤＤ７へのタイトル（コンテンツ）の録画に際して取得した、既に広く利用されているＥＰＧ（電子番組ガイド、Ｄ（ダイナミック）ＥＰＧと称されることもある）から取得されるデータに基づいて整理され、例えばシリーズ番組と判断できる。
【００６５】
すなわち、既に光ディスクＤには、図２１に示した画面（表示）２１０１から明らかなように、シリーズ番組Ｉのタイトル１記録されているから、以下、図２２に示すように、図１５に示した画面（表示）１５０１で既に説明したタイムバーのうち、タイムバー１５２３（タイトルＡ），タイムバー１５２７（タイトルＢ）及びタイムバー１５３１（タイトルＣ）が削除され、代わりに、図２２に画面（表示）２２０１として表示したタイムバー１５３７（タイトル５），タイムバー１５４１（タイトル６）及びタイムバー１５４５（タイトル７）が表示される。
【００６６】
次に、図２３に示すように、画面（表示）２３０１のタイトル２を表示しているタイトルタイムバー１５２５が反転表示またはグレーダウン表示され、同時にタイムバー４１１のタイトル２のサイズに相当する部分の色が、記録済であることを示す所定の色に変更される。
【００６７】
続いて、図２４に、画面（表示）２４０１として示す通り、タイトル２に対応したタイトルタイムバー１５２５が削除され、新たにタイトル８に対応するタイトルタイムバー１５４９が追加され、タイムバー４１１の長さが（実際の残り記録容量に対応して）、短縮された状態（表示）が、表示される。
【００６８】
なお、図２１〜図２５を用いて説明した一連の動作は、主制御ブロック１１のダビング先メディア空き容量取得部１１ａ、ダビング先タイトル選択部１１ｂ、空き容量タイムバー生成表示部１１ｃ及びダビング対象タイトルタイムバー生成表示部１１ｄ、並びに詳述しないＣＰＵ／ＭＰＵにより実現されることはいうまでもない。
【００６９】
このように、光ディスクへのタイトル（コンテンツ）のダビングまたはムーブに際し、光ディスクの残り記録可能容量内に収容可能な任意数のタイトルのサイズが、目視による簡単な確認で把握でき、ダビングまたはムーブしたいタイトル（コンテンツ）をダビングまたはムーズする際の効率が向上される。
【００７０】
なお、図２１ないし図２４に示したタイムバーの表示方法は、図２５に示すように、光ディスクＤに予め記録されているタイトルのサイズと関連情報（シリーズ番組であるか等の情報）と光ディスクの残り記録可能容量を取得（ＳＴ２１）、抽出されたタイトルの内容（シリーズもの、ジャンル等）と一致するタイトルをＨＤＤ７内に記録されているタイトルから抽出し（ＳＴ２２）、抽出されたタイトルのうちの光ディスクＤに記録可能なサイズのタイトルのうち既に記録されているタイトルと時間的な差が最も少ないタイトルを光ディスクへのダビングタイトルとして選択し、画面のタイムバーの表示を、光ディスクの容量占有量を引き算した残り記録可能容量に変更（ＳＴ２３）、残りのタイトルのサイズを表示するタイトルタイムバーを、光ディスクの容量占有量を引き算した残り記録可能容量を「０」とした位置に変更し（ＳＴ２４）、光ディスクの残り記録可能容量に収容可能なタイトルがなくなるまで、ＳＴ２３〜ＳＴ２４の繰り返す（ＳＴ２５）、ことにより実現される。
【００７１】
なお、図４〜図９に示したタイトルのサイズと光ディスクの残り記録可能容量とを比較して、ダビングまたはムーブ可能なタイトルを表示する方法と、図１５〜図１８に示した関連のあるタイトルのサイズと光ディスクの残り記録可能容量とを比較して、ダビングまたはムーブ可能なタイトルを表示する方法と、図２１〜図２４に示した光ディスクに既に記録されているタイトルと関連のあるタイトルのサイズと光ディスクの残り記録可能容量とを比較して、ダビングまたはムーブ可能なタイトルを表示する方法は、いずれも、相互に組み合わせて実行できることはいうまでもない。
【００７２】
以上説明したように、本発明の実施の形態の１つを用いることで、タイトル（番組）のダビングまたはムーブが要求された場合に、ダビングまたはムーブ対象のタイトルが記録メディア（光ディスク）の残り記録可能容量に対して収容（記録）可能か否か、あるいはいくつのタイトルが入れられるか、もしくはレート変換またはトランスコードにより収録可能となるか、が容易に識別できる。
【００７３】
また、１つのタイトルを選択することで、関連のある特定のタイトルを優先して（単一の光ディスクに）ダビングまたはムーブできる。
【００７４】
さらに、既に光ディスクに収録（記録）されているタイトルと関連のある特定のタイトルを優先して（単一の光ディスクに）ダビングまたはムーブできる。
【００７５】
従って、大容量記録装置に記録されているタイトルが、ダビング先の光ディスクの残量内で収録（記録）できるか否か、を容易に確認することが可能となり、光ディスクの残り記録容量に対して収録可能なタイトルの組み合わせのために、煩雑な時間計算や、レート変換後のタイトルのサイズを予想することなく、簡単に、光ディスクの残り記録容量に合わせたダビングまたはムーブが可能となる。
【００７６】
なお、本発明は、上述のいずれかの実施の形態そのままに限定されるものではなく、実施段階ではその要旨を逸脱しない範囲で構成要素を変形して具体化できる。また、上記のいずれかの実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７７】
【図１】この発明の実施の形態が適用可能な録画再生装置（レコーダー装置）の一例を示す概略図。
【図２】図１に示した録画再生装置（レコーダー装置）へのユーザ操作（制御信号）の入力に利用されるモートコントロール端末の一例を示す概略図。
【図３】図１に示した録画再生装置（レコーダー装置）におけるタイトルのダビングまたはムーブを起動する入力画面の表示例の一例を示す概略図。
【図４】図３に示したタイトルのダビングまたはムーブに際して表示されるダビング画面の表示例の一例を示す概略図。
【図５】図４に示したダビング画面の表示例に引き続いて表示される表示画面の一例を示す概略図。
【図６】図５に示したダビング画面の表示例に引き続いて表示される表示画面の一例を示す概略図。
【図７】図６に示したダビング画面の表示例に引き続いて表示される表示画面の一例を示す概略図。
【図８】図７に示したダビング画面の表示例に引き続いて表示される表示画面の一例を示す概略図。
【図９】図８に示したダビング画面の表示例に引き続いて表示される表示画面の一例を示す概略図。
【図１０】図４〜図９に示したダビングまたはムーブにおいて、レート変換を併用するか否かをユーザに選択させるための表示例の一例を示す概略図。
【図１１】図４〜図９に示したダビングまたはムーブにおいて、トランスコードを併用するか否かをユーザに選択させるための表示例の一例を示す概略図。
【図１２】図１１に示したレート変換の併用が選択された場合に、レート変換した場合の光ディスクの残り記録可能領域と各タイトルのサイズとの表示例の一例を示す概略図。
【図１３】図１２に示したトランスコードの併用が選択された場合に、光ディスクの残り記録可能領域と各タイトルのサイズとの表示例の一例を示す概略図。
【図１４】図４〜図９に示したダビングまたはムーブにおいて表示されるタイムバーの表示方法の一例を説明するフローチャート。
【図１５】ユーザから任意の１つのタイトルが指定された場合に、関連のあるタイトルをダビングまたはムーブ可能に、表示されるダビング画面の表示例の一例を示す概略図。
【図１６】図１５に示したダビング画面の表示例に引き続いて表示される表示画面の一例を示す概略図。
【図１７】図１６に示したダビング画面の表示例に引き続いて表示される表示画面の一例を示す概略図。
【図１８】図１７に示したダビング画面の表示例に引き続いて表示される表示画面の一例を示す概略図。
【図１９】図１５〜図１８に示した指定された１つのタイトルと関連のあるタイトルを抽出するためのＥＰＧ（ＤＥＰＧ）から取得されるデータの一例を示す概略図。
【図２０】図１５〜図１８に示したダビングまたはムーブにおいて表示されるタイムバーの表示方法の一例を説明するフローチャート。
【図２１】光ディスクに既に記録されているタイトルに関連のあるタイトルをダビングまたはムーブ可能に、表示されるダビング画面の表示例の一例を示す概略図。
【図２２】図２１に示したダビング画面の表示例に引き続いて表示される表示画面の一例を示す概略図。
【図２３】図２２に示したダビング画面の表示例に引き続いて表示される表示画面の一例を示す概略図。
【図２４】図２３に示したダビング画面の表示例に引き続いて表示される表示画面の一例を示す概略図。
【図２５】図２１〜図２４に示したダビングまたはムーブにおいて表示されるタイムバーの表示方法の一例を説明するフローチャート。
【符号の説明】
【００７８】
１…録画再生装置（レコーダー装置）、３…チューナー部、５…外部入力端、７…ＨＤＤ（ハードディスクドライブ（記録装置））、９…録画再生信号処理部（ＤＳＰ）、１１…主制御ブロック、１１ａ…ダビング先メディア空き容量取得部、１１ｂ…ダビング先タイトル選択部、１１ｃ…空き容量タイムバー生成表示部、１１ｄ…ダビング対象タイトルタイムバー生成表示部、１１ｅ…サイズ／レート比較部、１３…メモリユニット、１５…ユーザ操作入力部、１７…ＧＵＩ表示部（ＯＳＤ）、１９…ディスクドライブユニット、２１…出力端。
【図１】
2009158066.tif 000003
【図２】
2009158066.tif 000004
【図３】
2009158066.tif 000005
【図４】
2009158066.tif 000006
【図５】
2009158066.tif 000007
【図６】
2009158066.tif 000008
【図７】
2009158066.tif 000009
【図８】
2009158066.tif 000010
【図９】
2009158066.tif 000011
【図１０】
2009158066.tif 000012
【図１１】
2009158066.tif 000013
【図１２】
2009158066.tif 000014
【図１３】
2009158066.tif 000015
【図１４】
2009158066.tif 000016
【図１５】
2009158066.tif 000017
【図１６】
2009158066.tif 000018
【図１７】
2009158066.tif 000019
【図１８】
2009158066.tif 000020
【図１９】
2009158066.tif 000021
【図２０】
2009158066.tif 000022
【図２１】
2009158066.tif 000023
【図２２】
2009158066.tif 000024
【図２３】
2009158066.tif 000025
【図２４】
2009158066.tif 000026
【図２５】
2009158066.tif 000027